(57)【特許請求の範囲】
【請求項１】
対物レンズを保持するレンズホルダの傾き及び／又は高さを固定する固定部と、
前記レンズホルダの両側面に取付けられ、前記レンズホルダ及び前記固定部を接続し、前記レンズホルダを前記対物レンズの光軸方向に変位可能に支持する支持部材と、を備える２軸アクチュエータと、
前記レンズホルダの両側面に対応する位置であって、応力が集中することによって塑性変形する第１及び第２の応力集中ポイントが板金のプレス及び折り曲げ加工により形成され、前記固定部に固定される腕部と、
前記板金のプレス及び折り曲げ加工により形成され、前記固定部が取付けられる取り付け部と、を備える取り付け部材と、を備える
光学ピックアップ装置。
【請求項２】
前記取り付け部材は、前記取り付け部が折り曲げ加工されるヨークと、
前記ヨークに装着されるマグネットと、を備え、
前記ヨーク、前記腕部及び前記取り付け部が磁気回路を形成する
請求項１記載の光学ピックアップ装置。
【請求項３】
前記第１及び第２の応力集中ポイントは、前記腕部の長手軸方向に対する短手軸方向の厚さを減じて形成される
請求項２記載の光学ピックアップ装置。
【請求項４】
対物レンズを保持するレンズホルダの傾き及び／又は高さを固定する固定部と、
前記レンズホルダの両側面に取付けられ、前記レンズホルダ及び前記固定部を接続し、前記レンズホルダを前記対物レンズの光軸方向に変位可能に支持する支持部材と、を備える２軸アクチュエータと、
前記レンズホルダの両側面に対応する位置であって、応力が集中することによって塑性変形する第１及び第２の応力集中ポイントが板金のプレス及び折り曲げ加工により形成され、前記固定部に固定される腕部と、
前記板金のプレス及び折り曲げ加工により形成され、前記固定部が取付けられる取り付け部と、を備える取り付け部材と、を備え、
前記対物レンズを通じて照射される光ビームにて情報信号の記録及び／または再生の行う
情報処理装置。
【請求項５】
前記取り付け部材は、前記取り付け部が折り曲げ加工されるヨークと、
前記ヨークに装着されるマグネットと、を備え、
前記ヨーク、前記腕部及び前記取り付け部が磁気回路を形成する
請求項４記載の情報処理装置。
【請求項６】
前記第１及び第２の応力集中ポイントは、前記腕部の長手軸方向に対する短手軸方向の厚さを減じて形成される
請求項５記載の情報処理装置。
【発明の詳細な説明】
【０００１】
【発明の属する技術分野】
本発明は、例えば光学式ディスクの記録及び／または再生に用いられる対物レンズの搭載される２軸アクチュエータの取り付けが、容易、且つ良好に行われるようにした光学ピックアップ装置及び情報処理装置に係り、特に、例えば光学式ディスクの記録及び／または再生装置に使用して好適な光学ピックアップ装置及び情報処理装置に関する。
【０００２】
【従来の技術】
例えば光学式ディスクの記録及び／または再生装置に対物レンズの搭載される２軸アクチュエータにおいては、２軸アクチュエータを駆動していない状態での対物レンズのディスク面に対する半径方向と接線方向の傾きが基準状態となるように調整して取り付けを行う必要がある。すなわちこのような調整による取り付けを行うことによって、２軸アクチュエータによる対物レンズの駆動性能を最良にすることができるものである。
【０００３】
このような２軸アクチュエータとして、本願出願人は先に公開実用昭和６２−１５０７２３号と特開平９−２５１６５３号公報に開示の技術を提案した。すなわち前者においては、ＦＩＧ．５に示すような球面軸部４５（凸球面）と球面軸受部４６（凹球面）と調整螺子３５、３６を用いてこの間で２軸アクチュエータ２０に設けられる対物レンズのディスク面に対する半径方向と接線方向の傾きが調整できるようにしたものである。また後者においては、ＦＩＧ．６に示すような第１及び第２のプレートの間で同様の調整が行われるようにしたものである。
【０００４】
すなわち上述の２軸アクチュエータを駆動していない状態で、対物レンズを通じて調整用のディスク面に光ビームを照射し、その反射ビーム等を検出してディスク面に対する半径方向と接線方向の傾きが基準状態となるように調整が行われる。そしてこれらの調整が行われた状態で、凸球面と凹球面が調整螺子等で固定される。あるいは第１及び第２のプレートの間が半田等で接合されることによって、対物レンズの基準状態が定められるものである。
【０００５】
【発明が解決しようとする課題】
ところが上述の２軸アクチュエータにおいては、凸球面と凹球面、あるいは第１及び第２のプレートのように複数の部品が必要である。またこれらの間の面には調整を容易にするためや、半田等での接合を良好にするための表面処理を施す必要が生じる。このためこれらの部品コスト等が上昇する恐れがある。さらに半田等で接合を行い場合には、その飛散による対物レンズ等の光学部品の汚染が発生するなどの恐れも大きいものである。
【０００６】
この出願はこのような点に鑑みて成されたものであって、解決しようとする問題点は、従来の装置では、凸球面と凹球面あるいは第１及び第２のプレートのような複数の部品が必要であり、また接合面に表面処理等を施すためにこれらの部品コスト等が上昇する恐れがあり、さらに接合のための半田等が飛散して対物レンズ等の光学部品を汚染する恐れが大きいなどの問題点を解消することができなかったというものである。
【０００７】
【課題を解決するための手段】
本発明においては、対物レンズを保持するレンズホルダの傾き及び／又は高さを固定する固定部と、レンズホルダの両側面に取付けられ、レンズホルダ及び固定部を接続し、レンズホルダを対物レンズの光軸方向に変位可能に支持する支持部材と、を備える２軸アクチュエータと、レンズホルダの両側面に対応する位置であって、応力が集中することによって塑性変形する第１及び第２の応力集中ポイントが板金のプレス及び折り曲げ加工により形成され、固定部に固定される腕部と、板金のプレス及び折り曲げ加工により形成され、固定部が取付けられる取り付け部と、を備える取り付け部材と、を備えるものである。  これによって、応力集中ポイントをそれぞれ塑性変形させることで基準状態の対物レンズを任意の位置に定めることができ、単体の部材で２軸アクチュエータの取り付けを容易、且つ良好に行わせることができる。
【０００８】
また、本発明は、対物レンズの基準状態を応力集中ポイントの塑性変形によって定めることによって、対物レンズの基準状態への調整を極めて容易に行うことができるものである。
【０００９】
また、本発明は、２箇所の応力集中ポイントの形成された２本の腕部及び取り付け部と共に磁気回路を形成するヨークが設けられることによって、磁気回路の形成も容易に行うことができるものである。
【００１０】
また、本発明は、２箇所の応力集中ポイントを含む２本の腕部及び取り付け部が板金のプレス及び折り曲げ加工により形成されることによって、取り付け部材の形成を極めて容易に行うことができるものである。
【００１１】
【発明の実施の形態】
以下、図面を参照して本発明を説明するに、ＦＩＧ．１は本発明を適用した２軸アクチュエータの一実施形態の構成を示す斜視図である。なおＦＩＧ．１においては、説明のために取り付け部材と２軸アクチュエータを分解して示したものである。すなわちＦＩＧ．１において、取り付け部材１００が図面の下部に示され、その上側に２軸アクチュエータ２００の構成が示されているものである。
【００１２】
このＦＩＧ．１において、取り付け部材１００には、基板（図示せず）に固定される底板部１から立ち上げられた第１の締結部分２ａ、２ｂが設けられる。これらの第１の締結部分２ａ、２ｂに第１の応力集中ポイント３ａ、３ｂを介してつなぎ部分４ａ、４ｂが設けられる。さらにこれらのつなぎ部分４ａ、４ｂに第２の応力集中ポイント５ａ、５ｂを介して第２の締結部分６ａ、６ｂが設けられる。そしてこれらの第２の締結部分６ａ、６ｂの間に取り付け部７が設けられる。
【００１３】
ここでこの取り付け部材１００は、例えば板金から、ＦＩＧ．２Ａの展開図と、ＦＩＧ．２Ｂの上面図及び側面図に示すように、プレス及び折り曲げ加工により形成されるものである。また、応力集中ポイント３ａ、３ｂ及び５ａ、５ｂは、例えばプレス加工の際に５０％程度に厚さを減じさせることによって形成されるものであり、例えば１ｋｇ重＝１０Ｎ程度で塑性変形による調整が可能となる形状にされる。従って同程度の塑性変形が可能であれば厚さは減じさせなくても良い。ただし、通常の使用状況で想定される最大荷重は５００ｇ重とされる。
【００１４】
さらに、磁気回路を形成するためのヨーク８ａ、８ｂ、８ｃ、８ｄが、底板部１から折り曲げられて形成される。なおＦＩＧ．２Ａの展開図では、ヨーク８ｂ、８ｃの長さはヨーク８ａ、８ｄより短くなっているが、例えば打ち出し加工によってヨーク８ａ、８ｄと同等の長さにされるものである。そしてこれらのヨーク８ａ〜８ｄにマグネット（図示せず）が装着されて磁気回路が形成される。従ってこの部材は、通常は鉄等の磁性体の金属で形成されるが、駆動がマグネットのみで行われる場合には磁性体でない金属で形成することもできる。
【００１５】
そして上述の取り付け部７に対して２軸アクチュエータ２００の固定部１０が取り付けられる。さらにこの固定部１０に支持部材１１ａ、１１ｂを介してレンズホルダ１２が接続される。そしてこのレンズホルダ１２に対物レンズ１３と駆動用のコイルボビン１４が設けられる。従ってこのレンズホルダ１２は、支持部材１１ａ、１１ｂによって上下（光軸方向）及び左右方向に移動可能に構成されると共に、この移動が、フォーカスコイル１４及びトラッキングコイル１５とヨーク８ａ〜８ｄにより形成される磁気回路によって、フォーカスコイル１４及びトラッキングコイル１５に流される電流に応じて制御される。
【００１６】
このような取り付け部材１００に対する対物レンズ１３の基準状態の調整は、例えば上述の取り付け部７に対して周囲に遊びを持たせた調整治具（図示せず）を用いて行われる。そして上述の調整治具を介して１ｋｇ重＝１０Ｎ以上の荷重を必要な方向に繰り返し掛けることで、応力集中ポイント３ａ、３ｂ及び５ａ、５ｂを徐々に塑性変形させて所望の調整を行うものである。
【００１７】
すなわち例えば上述の２軸アクチュエータ２００のコイルボビン１４を駆動していない状態で、対物レンズ１３を通じて調整用のディスク面（図示せず）に光ビームを照射し、その反射ビーム等を検出してディスク面に対する半径方向と接線方向の傾きを検出する。そしてこれらの半径方向と接線方向の傾きが基準状態となるように調整治具を動かし、必要な方向に荷重を掛けることで応力集中ポイント３ａ、３ｂ及び５ａ、５ｂが塑性変形されて調整が行われる。
【００１８】
なおこの調整においては、例えばＦＩＧ．３Ａに示すような対物レンズのディスク面に対する半径方向の傾きの調整や、ＦＩＧ．３Ｂに示すような接線方向の傾きの調整だけでなく、ＦＩＧ．３Ｃに示すような対物レンズのトラッキング方向の位置の調整や、さらにＦＩＧ．３Ｄに示すような対物レンズの高さの調整も行うことができるものである。すなわち応力集中ポイント３ａ、３ｂ及び５ａ、５ｂが任意に塑性変形されることによって、これらの調整が容易に行われるものである。
【００１９】
従ってこの実施形態において、それぞれに少なくとも２箇所の応力集中ポイントの形成された２本の腕の間に設けられた取り付け部に、対物レンズの搭載された２軸アクチュエータの固定部が取り付けられるようにしたことによって、応力集中ポイントをそれぞれ塑性変形させることで基準状態の対物レンズを任意の位置に定めることができ、単体の部材で２軸アクチュエータの取り付けを容易、且つ良好に行わせることができる。
【００２０】
これによって、従来の装置では、凸球面と凹球面あるいは第１及び第２のプレートのような複数の部品が必要であり、また接合面に表面処理等を施すためにこれらの部品コスト等が上昇する恐れがあり、さらに接合のための半田等が飛散して対物レンズ等の光学部品を汚染する恐れが大きいなどの問題点があったものを、本発明によればこれらの問題点を容易に解消することができるものである。
【００２１】
こうして上述の２軸アクチュエータによれば、対物レンズを保持するレンズホルダと、レンズホルダを固定部に対して少なくとも対物レンズの光軸方向に変位可能に支持する支持部材と、固定部が取り付けられる、それぞれ少なくとも２箇所の応力集中ポイントの形成された２本の腕を有する取り付け部材とを有することにより、応力集中ポイントをそれぞれ塑性変形させることで基準状態の対物レンズを任意の位置に定めることができ、単体の部材で２軸アクチュエータの取り付けを容易、且つ良好に行わせることができるものである。
【００２２】
さらに本発明においては、上述の２軸アクチュエータを用いて光学式情報処理装置を構成することができるものである。すなわちＦＩＧ．４には、本発明による光学式情報処理装置の一実施形態の概略の構成を示す。このＦＩＧ．４において、記録ディスク４００に対して上述の対物レンズ駆動装置を含む光ピックアップ装置４０１からの光ビームが照射されて情報信号の記録及び／または再生が行われる。
【００２３】
一方、この記録ディスク４００は、システム制御装置４０２からの制御信号に従って駆動される軸モータ４０３によって例えば線速度が一定となるように回転駆動されている。またシステム制御装置４０２からの制御信号に従って駆動される送りモータ４０４により、光ピックアップ装置４０１からの光ビームが記録ディスク４００の所望の位置に照射されように移動が行われる。
【００２４】
そして例えば入力端子４０５からの情報信号が記録再生回路４０６を通じて光ビームの駆動検出回路４０７に供給され、この駆動検出回路４０７からの信号に従って光ピックアップ装置４０１での光ビームの出力が制御されることにより、記録ディスク４００に対する入力端子４０５からの情報信号の記録が行われる。また、記録ディスク４００に記録された情報信号が駆動検出回路４０７によって検出され、この検出された情報信号が記録再生回路４０６を通じて出力端子４０８に取り出される。
【００２５】
それと共に、駆動検出回路４０７では光ビームのトラッキングとフォーカシングの誤差信号が検出され、これらの誤差信号がサーボ回路４０９に供給される。そしてこのサーボ回路４０９からの制御信号が、光ピックアップ装置４０１に供給されて、トラッキング及び／またはフォーカシングの制御駆動が行われる。また操作パネル４１０からの操作信号がシステム制御装置４０２に供給されて、所望の記録位置や再生位置への光ピックアップ装置４０１の移動等が行われる。
【００２６】
そしてこのような光学式情報処理装置においても、上述の光ピックアップ装置４０１に設けられる２軸アクチュエータに、上述のそれぞれに少なくとも２箇所の応力集中ポイントの形成された２本の腕の間に設けられた取り付け部に、対物レンズの搭載された２軸アクチュエータの固定部が取り付けられるようにしたことによって、応力集中ポイントをそれぞれ塑性変形させることで基準状態の対物レンズを任意の位置に定めることができ、単体の部材で２軸アクチュエータの取り付けを容易、且つ良好に行わせることができるものである。
【００２７】
こうして上述の光学式情報処理装置によれば、対物レンズを通じて照射される光ビームにて情報信号の記録及び／または再生の行われる光学式情報処理装置であって、レンズホルダを固定部に対して少なくとも対物レンズの光軸方向に変位可能に支持する支持部材と、固定部が取り付けられる、それぞれ少なくとも２箇所の応力集中ポイントの形成された２本の腕を有する取り付け部材とを有することにより、単体の部材で２軸アクチュエータの取り付けを容易、且つ良好に行わせることができるものである。
【００２８】
なお本発明は、上述の説明した実施の形態に限定されるものではなく、本発明の精神を逸脱することなく種々の変形が可能とされるものである。
【図面の簡単な説明】
【図１】ＦＩＧ．１は、本発明を適用した２軸アクチュエータの一実施形態の構成を示す斜視図である。
【図２】ＦＩＧ．２は、その説明のための線図である。
【図３】ＦＩＧ．３は、その動作の説明のための図である。
【図４】ＦＩＧ．４は、本発明を適用した光学式情報処理装置の一実施形態の構成を示すブロック図である。
【図５】ＦＩＧ．５は、従来の２軸アクチュエータの取り付け部材の構成図である。
【図６】ＦＩＧ．６は、従来の２軸アクチュエータの取り付け部材の構成図である。
【符号の説明】
【００２９】
１００…………………………取り付け部材
２００…………………………２軸アクチュエータ
１………………………………底板部
２ａ、２ｂ……………………第１の締結部分
３ａ、３ｂ……………………第１の応力集中ポイント
４ａ、４ｂ……………………つなぎ部分
５ａ、５ｂ……………………第２の応力集中ポイント
６ａ、６ｂ……………………第２の締結部分
７………………………………取り付け部
８ａ、８ｂ、８ｃ、８ｄ……磁気回路を形成するためのヨーク
１０……………………………固定部
１１ａ、１１ｂ………………支持部材
１２……………………………レンズホルダ
１３……………………………対物レンズ
１４……………………………フォーカスコイル
１５……………………………トラッキングコイル
【図１】
0004264544.tif 000002
【図２Ａ】
0004264544.tif 000003
【図２Ｂ】
0004264544.tif 000004
【図３Ａ】
0004264544.tif 000005
【図３Ｂ】
0004264544.tif 000006
【図３Ｃ】
0004264544.tif 000007
【図３Ｄ】
0004264544.tif 000008
【図４】
0004264544.tif 000009
【図５Ａ】
0004264544.tif 000010
【図５Ｂ】
0004264544.tif 000011
【図６】
0004264544.tif 000012
0004264544.tif 000013